(57)【要約】【課題】展示物を浮上させることのできる斬新な展示を実現でき、かつ浮上構成があまり展覧者の目に付き難い展示装置を提供する。【解決手段】展示装置１は、展示物５をベース部２から浮上させて展示するように構成され、ベース部２には変化する磁界を発生させる変化磁界発生部１０が設けられている。さらに、このベース部２の上方に非磁性の導電体３を配置し、変化磁界発生部１０からの磁界の変動に基づいて導電体３と変化磁界発生部１０との間に生ずる磁気反発力によって展示物５を浮上させる。【選択図】  図１
2004320927.tif 000002
【特許請求の範囲】
【請求項１】
展示物をベース部から浮上させて展示する展示方法であって、前記ベース部には変化する磁界を発生させる変化磁界発生部が設けられ、前記ベース部の上方には非磁性の導電体を配置し、前記変化磁界発生部からの磁界の変動に基づいて前記導電体と前記変化磁界発生部との間に生ずる磁気反発力によって前記展示物を浮上させることを特徴とする物品の展示方法。
【請求項２】
展示物を浮上させて展示するための展示装置であって、変化する磁界を発生させる変化磁界発生部が設けられたベース部と、このベース部の上方に配置されて前記展示物が載置又は取り付けられる非磁性の導電体とを備え、前記変化磁界発生部からの磁界の変動に基づいて前記導電体と前記変化磁界発生部との間に生ずる磁気反発力によって前記導電体に浮力を生じさせ、その導電体の浮力により前記展示物を浮上させることを特徴とする物品の展示装置。
【請求項３】
前記変化磁界発生部が複数設けられ、前記導電体の複数位置において磁気反発力を発生させるように構成されていることを特徴とする請求項２に記載の展示装置。
【請求項４】
前記変化磁界発生部は、磁石として機能可能な磁石機能部を備えて回転可能に構成される回転部と、この回転部を駆動する駆動手段とを含み、
前記駆動手段は、前記磁石機能部と対向して配置される電機子巻線を有し、この電機子巻線の通電制御により、前記回転部が駆動するように構成されていることを特徴とする請求項２又は請求項３に記載の展示装置。
【請求項５】
複数設けられた前記変化磁界発生部はそれぞれ、磁石として機能可能な磁石機能部を備えて回転可能に構成される回転部を有し、かつ各回転部毎にそれら回転部を駆動する駆動手段が設けられており、
さらに、各回転部毎に回転数をそれぞれ独立して設定するように前記駆動手段を制御する回転数制御手段を備えたことを特徴とする請求項３に記載の展示装置。
【請求項６】
複数設けられた前記変化磁界発生部はそれぞれ、磁石として機能可能な磁石機能部を備えて回転可能に構成される回転部を有し、他方この回転部を駆動する駆動手段が設けられており、さらに、この駆動手段による駆動力を伝達して複数の前記回転部を連動して駆動させる駆動力伝達機構を備えたことを特徴とする請求項３に記載の展示装置。
【発明の詳細な説明】
【０００１】
【発明の属する技術分野】
本発明は、物品の展示方法及び展示装置に関する。
【０００２】
【従来の技術】
商品や立体的な広告体などを展示する場合、その展示物自体のみならず、展示方法も展覧者を注目させる上で重要な要素となる。即ち、展覧者が注目するような展示構成、あるいは美的意識を持つような展示構成とすると展示効果が高くなる。そして、このような課題に関連する技術として特許文献１のような技術が提供されている。この特許文献１の技術では、展示物を磁気懸垂することにより宙に浮かせるようにしており、これによれば、展示物を机等に載置して展示するような一般的な展示方法と比較して斬新な展示が行え、展覧者の注目度を高めることができる。
【０００３】
【特許文献１】
特表平１１−５１２０３２号公報
【非特許文献１】
藤井・林・坂本：「自己回転型磁気車輪とそれを用いた試験車の特性」、電学論Ｄ１２０巻４号，平成１２年（Ｔ．ＩＥＥ  Ｊａｐａｎ，Ｖｏｌ．１２０−Ｄ，Ｎｏ．４，２０００）、４９５頁−５０２頁
【非特許文献２】
藤井・小川・松本：「永久磁石回転形磁気車輪」、電学論Ｄ，１１５巻３号、平成７年（Ｔ．ＩＥＥ  Ｊａｐａｎ，Ｖｏｌ．１１５−Ｄ，Ｎｏ．３，’９５）、３１９頁−３２６頁
【０００４】
【発明が解決しようとする課題】
ところで、特許文献１のように磁気懸垂により展示物を吊り下げる構成とすると、展示物を宙に浮かせることができて斬新な展示が可能となり、展示効果を高めることが可能となるが、このような構成とすると、展示物の上方において当該展示物を吊り下げるための装置を設けなければならず、全体的に嵩張る装置構成となりやすかったり、或いは吊り下げるための構成が見えてしまうこととなるため、使用状況によっては装飾性や展示効果が低減してしまう懸念がある。
【０００５】
本発明は上記のような事情に基づいて完成されたものであって、展示物を浮上させることのできる斬新な展示構成を実現でき、かつ浮上構成があまり展覧者の目に付き難い展示装置を提供することを目的とする。
【０００６】
【課題を解決するための手段】
上記の目的を達成するための手段として、請求項１の発明は、
展示物をベース部から浮上させて展示する展示方法であって、前記ベース部には変化する磁界を発生させる変化磁界発生部が設けられ、前記ベース部の上方には非磁性の導電体を配置し、前記変化磁界発生部からの磁界の変動に基づいて前記導電体と前記変化磁界発生部との間に生ずる磁気反発力によって前記展示物を浮上させる方法としたところに特徴を有する。
【０００７】
請求項２の発明は、展示物を浮上させて展示するための展示装置であって、変化する磁界を発生させる変化磁界発生部が設けられたベース部と、このベース部の上方に配置されて前記展示物が載置又は取り付けられる非磁性の導電体とを備え、前記変化磁界発生部からの磁界の変動に基づいて前記導電体と前記変化磁界発生部との間に生ずる磁気反発力によって前記導電体に浮力を生じさせ、その導電体の浮力により前記展示物を浮上させる構成としたところに特徴を有する。
【０００８】
請求項３の発明は、請求項２に記載の展示装置において、前記変化磁界発生部が複数設けられ、前記導電体の複数位置において磁気反発力を発生させるように構成されているところに特徴を有する。
【０００９】
請求項４の発明は、請求項２又は請求項３に記載の展示装置において、前記変化磁界発生部は、磁石として機能する磁石機能部を備えて回転可能に構成される回転部と、この回転部を駆動する駆動手段とを含み、前記駆動手段は、前記磁石機能部と対向して配置される電機子巻線を有し、この電機子巻線の通電制御により、前記回転部が駆動するように構成されているところに特徴を有する。
【００１０】
請求項５の発明は、請求項３に記載の展示装置において、複数設けられた前記変化磁界発生部はそれぞれ、磁石として機能する磁石機能部を備えて回転可能に構成される回転部を有し、かつ各回転部毎にそれら回転部を駆動する駆動手段が設けられており、さらに、各回転部毎に回転数をそれぞれ独立して設定するように前記駆動手段を制御する回転数制御手段を備えたところに特徴を有する。
【００１１】
請求項６の発明は、請求項３に記載の展示装置において、複数設けられた前記変化磁界発生部はそれぞれ、磁石として機能する磁石機能部を備えて回転可能に構成される回転部を有し、他方この回転部を駆動する駆動手段が設けられており、さらに、この駆動手段による駆動力を伝達して複数の前記回転部を連動して駆動させる駆動力伝達機構を備えたところに特徴を有する。
【００１２】
【発明の作用及び効果】
＜請求項１の発明＞
上記構成によれば、展示物を浮上させて展示が可能となるため、展覧者の注目を集めやすい極めて斬新な展示を行えることとなる。さらに、磁気懸垂により展示物を浮かせる構成と比較して展示物を浮上させるために必要となる部分の構成があまり目に付き難くなるため、美観を損ねる可能性がある部品を設けずとも展示物の浮上を実現できる。なお、所定のベースに対して磁気反発力を生じさせ、物体を浮上させるような関連現象は、非特許文献１、非特許文献２などに示されるように異なる分野（磁気車輪に関する分野）において知られているが、上記構成のように変化磁界に基づく磁気反発力により展示物を浮上させて展示効果を高めようとする技術は従来において全く提供されておらず、斬新な効果が得られることとなる。
【００１３】
＜請求項２の発明＞
請求項２の構成によれば、極めて斬新な展示を行える展示装置を実現でき、かつ、美観を損ねる可能性のある部品を効果的に削減できる装置構成となる。
【００１４】
＜請求項３の発明＞
請求項３の構成によれば、複数位置において磁気反発を生じさせたい場合に効果的な構成となる。このように複数位置において磁気反発を生じさせることにより浮上体の複数位置において浮上力が発生するため、バランスが保たれ易く、安定した浮上がなされることとなる。
【００１５】
＜請求項４の発明＞
請求項３の構成によれば、複雑な装置構成を用いずとも変化磁界を発生することのできる好適な装置構成となる。
＜請求項５の発明＞
請求項５のようにすれば、複数の回転部を備える構成のものにおいて、各回転部の回転数を独立して制御することが可能な装置構成となる。この回転数を制御することにより、所望の磁界変化とすることができ、これによって浮上力や横方向への力を制御することができて展示態様の自由度の増大を図ることができる。
【００１６】
＜請求項６の発明＞
請求項６の構成によれば、複数の回転部を備える構成のものにおいて、駆動装置をあまり増やしたくない場合に効果的な構成となる。このようにすれば、駆動装置数を削減して低コスト化、軽量化を図ることが可能となる。
【００１７】
【発明の実施の形態】
以下、本発明の実施形態を添付図面に基づいて説明する。
＜第１実施形態＞
本発明の第１実施形態を図１及び図２を参照しつつ説明する。
図１は第１実施形態に係る展示装置の一例を示す側面一部断面図であり、図２は図１におけるＡ−Ａ断面矢視図である。展示装置１は、図に例示されるような展示物（図では展示物５を例示）を浮上させて展示するための装置である。この装置に関する構成及び作用の概要を述べると、この展示装置１は、変化する磁界を発生させる変化磁界発生部１０が設けられたベース部２と、このベース部２の上方に配置されて展示物が載置又は取り付けられる非磁性の導電体３とを備え、変化磁界発生部１０からの磁界の変動に基づいて導電体３と変化磁界発生部１０との間に生ずる磁気反発力によって導電体３に浮力を生じさせ、その導電体３の浮力により展示物を浮上させるように構成されている。
【００１８】
本実施形態では、変化磁界発生部１０の要素として設けられた回転部１４において、磁石として機能する磁石機能部（ここでは永久磁石１２）が備えられた構成をなしている。そして、回転部１４が回転することに伴って磁石機能部たる永久磁石１２が回転し、この永久磁石１２によって生じている磁界が変化するようにして変化磁界が発生する。これにより永久磁石１２の上部に配置される板状の導電体３において板面方向に渦電流が発生する。この渦電流の発生により導電体３とベース部２との対向方向において磁気反発力が生じて導電体３に浮力が生じることとなる。
【００１９】
次に、展示装置１の具体的構成について詳細に説明する。
図１及び図２に示すように、本実施形態における変化磁界発生部１０は、永久磁石１２を備えて回転可能に構成される回転部１４と、この回転部１４を駆動する駆動手段とを含む構成をなしている。そして、ここでの駆動手段は、永久磁石１２と対向して配置される電機子巻線１１を備えており、この電機子巻線１１の通電制御により、回転部１４が回転駆動するように構成されている。また、図１及び図２においては２つの回転部１４が設けられており、それぞれの回転部１４は上下方向の軸線を有する軸１５に軸受１３Ａ、１３Ｂを介して回転可能に取り付けられ、この軸線回りを回転するように構成されている。
【００２０】
回転部１４の上部には固定子として機能する上述の電機子巻線１１が複数（ここでは三相構成）配置されている。この電機子巻線１１は６つのブロックにて構成されており、支持部６の下側に配置された板状のプリント基板１９の裏面において環状に並んで取付けられている。そして、この電機子巻線１１が回転部１４と共に同期モータとしての動作（永久磁石型同期電動機動作）を行うように構成されている。即ち、電機子巻線１１に対する通電制御（例えば、所定周波数の三相交流による通電制御）により回転磁界を発生させ、これに同期して永久磁石１２を備えた回転部１４が回転子として回転することとなる。ここでは、回転部１４の回転軸線方向において回転部１４と電機子巻線１１とが対向するように構成されているが、回転可能な構成であれば図１及び図２の例に限らず、例えば回転半径方向に回転部と電機子巻線とを対向させるような構成であってもよい。
【００２１】
図１及び図２の例では、回転部１４に組み込まれる（より具体的には回転部１４の本体部１４Ａ（図１参照）の内部に埋め込まれる）ように永久磁石１２が設けられており、９０度ごとに永久磁石１２が計４極配置されている。回転部１４の下方にはプレート２９が固定されており、このプレート２９上において永久磁石１２が取り付けられている。永久磁石１２は回転軸と同方向に磁化されて、回転部１４の上面側及び下面側に磁極が分かれる構成をなしており、９０度毎に配置される永久磁石１２は、その上面の極性がＮ，Ｓ，Ｎ，Ｓと９０度ごとに交互となっている。なお、ここに示す永久磁石１２の数や配置角度は一例であり、これとは異なる数や配置角度であってもよい。
【００２２】
さらに、本実施形態の展示装置１は、ベース部２において変化磁界発生部１０が複数設けられており、導電体３の複数位置に対応して磁気反発力を発生させるように構成されている。複数設けられた回転部１４において、各回転部１４毎に駆動手段が設けられている。そして、各回転部１４毎に回転数をそれぞれ独立して制御するように回転数制御手段が設けられている。この回転数制御手段は、各回転部１４に対応して設けられる駆動手段を独立して制御する。このように回転数制御手段により回転数を制御すると、磁束変化に伴い磁気反発力が変化するため、より高く浮上させたり、反対に低くしたりするといった展示物の上下方向の制御が可能となる。また、導電体３の板面方向に生じる推進力が変化するため、側方への位置制御が可能となる。なお、制御の一例として２つの回転部１４，１４が互いに逆方向に回転するようにでき、このようにすれば対向する方向に推力が生じ、横移動を抑制したりこれを無くして導電体３を静止することができる。
【００２３】
なお、回転数制御手段による制御方法としては、モータにおける様々な回転数制御と同様の方法を用いることができる。ここでは電機子巻線１１に対して三相交流により通電制御を行うようにしているため交流周波数を変更することにより回転数を調整することができる。勿論、回転数の調整方法はこれに限定されない。なお、ここでは、各回転部１４に対応して駆動回路部２３がそれぞれ設けられており、この駆動回路部２３にはそれぞれの駆動手段（ここでは同期モータ構成）を駆動するためのモータ駆動回路が少なくとも備えられている。
【００２４】
導電体３は、導電性を有する材料であって、かつ非磁性の材料により板状に構成されており、双方の回転部１４，１４の上部に位置するように構成されている。そして、この導電体３上に展示物５が載置されるようになっており、この導電体３の浮上によって展示物５が浮上して展示されることとなり、斬新な展示構成が実現する。導電体３に対する展示物５の配置については、単に載置する構成であってもよく、接着や締結部材などによる取付構成であってもよい。また、展示物５と導電体３を一体的に構成するようなものであってもよい。
【００２５】
展示物５は、様々な物品を対象とすることができ、例えば、商品を載置するようにできる。なお、ここでは、導電体３を平板状に構成しており、その上に展示物を載置するようにしているが、導電体３の形状はこれに限定されない。例えば、導電体３の一部において、その上面から突出するようにストッパーを設け、展示物５の導電体３上でのすべりを防止するようにしてもよい。このストッパーは導電体３上面において展示物５を囲むように配置することができ、図３（Ａ）の例では展示物５を周囲を連続的に囲むようにストッパー３Ａが設けられている。これによって、展示物５が導電体３上のどの方向に滑ってもストッパー３Ａが作用することとなるため、導電体３を上下方向或いは横方向に移動させるように制御する場合には慣性力等に起因する展示物５の位置ずれを抑制ないし防止でき効果的となる。
【００２６】
さらに、導電体３上への載置に代えて、又は載置とともに、導電体３と展示物５を所定の結合手段により結合してもよい。結合手段としては、ねじ等の締結部材、嵌合部（展示物５及び導電体３いずれか一方に凹部、他方に凸部を設けた嵌合構成等）、係合部（スナップフィット等の係合爪構成等）、可撓性を有する部材（チェーンや紐などによる連結）、その他により着脱容易、或いは着脱可能に構成することが好ましいが、接着剤等の接着媒体や溶接などによって展示物５を導電体３に着脱困難、或いは着脱不能に固定する構成であってもよい。また、商品ではなく、商品を模したもの、あるいや商品、役務、法人名などを示した広告体などであっても展示物として利用できる。また、展示物５の材質は、少なくとも下部（即ち、導電体３の付近）が非磁性材料にて構成されることが望ましい。
【００２７】
さらには、展示物５の一部を導電体として構成するようにしてもよい。
図３（Ｂ）では、車の形状をなす展示物５（例えばプラスチック材料を主体として構成される車の模型など）を例示しており、この展示物５の底部を図１等と同様の非磁性の導電体３として板状に構成しており、双方の回転部１４に跨るように、それら回転部１４の上部に導体部３が位置するようになっている。この例では、導電体３より下方に位置する部分（ここではタイヤの一部）については、非磁性かつ非導電性の材料にて構成しており、この導電体３の下方部分には磁気が作用しないようになっている。この場合にも、図１及び図２の場合と同様に磁気反発力が生じ、展示物５が浮上することとなる。
【００２８】
＜第２実施形態＞
次に、本発明の第２実施形態を図４及び図５を参照しつつ説明する。
第２実施形態に係る展示装置１は、モータ２１の回転軸２２に回転部１４が取り付けられる構成のものを示している。モータ２１は様々な種類のものを適用でき、例えば、ＤＣモータ、同期モータ、誘導モータなどを利用できる。ここでは、ベース部２の上部に設けられた絶縁性かつ非磁性の支持部６に面して磁石機能部たる永久磁石１２を備えた回転部１４が設けられ、さらにこの支持部６に面して導電体３が設けられる構成をなしている。即ち、永久磁石１２と導電体３の間には支持部６のみが介在するような構成となっており、導電体３に磁気が作用しやすい位置関係となっている。回転部１４は、図５に示すように永久磁石１２が９０度毎に配置されている。なお、この構成においても、各モータ２１の回転数及び回転方向をそれぞれ独立に制御するようにしてもよく、双方のモータ２１の回転数や回転方向を一定にしてもよい。なお、ここでは図示を省略しているが、回転数や回転方向を制御するようにモータドライバ回路を設けることができる。
【００２９】
＜第３実施形態＞
次に第３実施形態について図６及び図７を参照しつつ説明する。
第３実施形態では、図６及び図７に示すように、複数設けられた回転部１４を、単一駆動手段の駆動力を伝達して連動駆動させる駆動力伝達機構を備えた構成について説明する。第３実施形態に係る展示装置１は、モータ２１の回転軸２２に伝動歯が形成されたホイール２５が回転可能に固定されている。このホイール２５と噛み合うように歯付きベルト３１が設けられており、この歯付きベルト３１は各回転部１４の回転軸３３に取り付けられた歯付きプーリ３５と噛み合うように巻き回されている。即ち、モータ２１の回転軸２２の回転を受けて各回転部１４がベルト電動される構成をなしている。図６では、回転軸３３を保持する軸受や軸受けを保持する保持構成を省略しているが、軸が保持できる構成であれば公知の様々な方法を用いることができる。また、ここでは、ホイール２５、歯付きベルト３１、歯付きプーリ３５が駆動力伝達機構として機能している。
【００３０】
なお、ここに示す駆動力伝達機構はあくまで一例であり、他の構成を用いてもよい。例えば、歯付きプーリに変えてＶプーリを用いると共に、歯付きベルトに変えてＶベルトを用い、Ｖベルト伝動としてもよい。また、ベルト及びプーリを用いた伝動のかわりにチェーン及びスプロケットを用いた構成としてもよく、モータ２１の回転軸２２及び回転部１４の回転軸３３にそれぞれ歯車を取り付けて歯車伝動としてもよい。また、ここでは、ベルトをけさ掛け構成（オープンベルト）として両方の回転部１４が同方向に回転する構成を示しているが、たすき掛け構成（クローズドベルト）として互いに逆方向に回転するように構成してもよい。また、ベルト緩みを少なくするために張り車（アイドラ）などを用いてもよい。
【００３１】
＜第４実施形態＞
第４実施形態では、上記実施形態とは異なる数の変化磁界発生部が設けられた構成について図８ないし図１１を参照して説明する。図８は第４実施形態に係る展示装置の一例を示す側面一部断面図であり、図９は図８におけるＢーＢ断面矢視図である。なお、図８、図９の例では第１実施形態と同様の回転動作（即ち、永久磁石型同期電動機動作）を行うようになっており、変化磁界発生部の数が第１実施形態と異なるがその他の構成については第１実施形態とほぼ同様である。図８、図９のように変化磁界発生部を１つのみとすると構成が簡素化できコスト低減を図りたい場合には都合のよい構成となる。
【００３２】
ここでは、回転部１４が１つのみにより構成されており、単一の回転部１４によって生じる変化磁界に起因して磁気反発力が生じるようになっている。また、導電体３の面積は、回転部１４の径と同程度かそれより若干大きくなるように構成でき、導電体３の大部分の領域にて磁気反発力が生じるように構成するとよい。このようにすれば、浮力のバランスが保たれ展示物が傾くようなことがなくなる。なお、この構成においても、周波数制御等により回転数を調整することができる。
【００３３】
また、図１０及び図１１は、図８及び図９と同様に単一の変化磁界発生部により磁気反発力を生じさせており、図４及び図５に示す第２実施形態の構成のものを用いている。即ち、第２実施形態の構成と変化磁界発生部の数が異なるが、その他の構成については第２実施形態とほぼ同じである。この場合であっても、公知のモータを用いることができ、公知の回転数調整方法を用いて回転数を調整することができる。また、図８ないし図１１では、第１実施形態よりも少ない数（即ち１つのみ）の変化磁界発生部が設けられた構成を例示したが、これより多い構成（３以上の変化磁界発生部）であってもよい。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では変化磁界発生部として永久磁石を回転させる構成を示したが、永久磁石を用いない構成としてもよい。永久磁石の代わりに電磁石を用い、これを移動させるようにしてもよい。また、インダクションモータとして回転部及び電機子巻線を構成することができる。
（２）上記実施形態では、変化磁界発生部として磁石機能部（永久磁石等）を回転させる構成を示したが、磁石機能部を直線的に移動させるようにしてもよい。
（３）上記実施形態では、回転部の回転数を制御する構成を示したが、回転数を制御せずに、一定の回転数で回転させるようにしてもよい。
（４）上実施形態では、変化磁界発生部の数として２つ、又は１つの構成を例示したが、３以上（例えば、４つ）であってもよい。例えば、変化磁界発生部を４つの回転部により構成した場合、それぞれの回転部を独立して制御してもよいし、単一の駆動手段により全ての回転部（ここでは４つの回転部）を連動駆動するようにしてもよい。また、３以上の回転部を複数単位（例えば、２つのずつ）で連動駆動させるようにしてもよい。
【図面の簡単な説明】
【図１】本発明の第１実施形態に係る展示装置の一例を示す側面一部断面図
【図２】ベース部の内部構成を示すＡ−Ａ断面矢視図
【図３】展示物及び導電体について図１とは異なる例を示す図
【図４】本発明の第２実施形態に係る展示装置の一例を示す側面一部断面図
【図５】図３の展示装置における変化磁界発生部を示す平面図
【図６】本発明の第３実施形態に係る展示装置の一例を示す側面一部断面図
【図７】図５の展示装置における変化磁界発生部を示す平面図
【図８】本発明の第４実施形態に係る展示装置の一例を示す側面一部断面図
【図９】図７の展示装置における変化磁界発生部を示すＢ−Ｂ断面矢視図
【図１０】第４実施形態に係る展示装置について図７とは異なる例を示す側面一部断面図
【図１１】図９の展示装置における変化磁界発生部を示す平面図
【符号の説明】
１…展示装置
２…ベース部
３…導電体
５…展示物
１０…変化磁界発生部
１１…電機子巻線
１２…永久磁石（磁石機能部）
１４…回転部
【図１】
2004320927.tif 000003
【図２】
2004320927.tif 000004
【図３】
2004320927.tif 000005
【図４】
2004320927.tif 000006
【図５】
2004320927.tif 000007
【図６】
2004320927.tif 000008
【図７】
2004320927.tif 000009
【図８】
2004320927.tif 000010
【図９】
2004320927.tif 000011
【図１０】
2004320927.tif 000012
【図１１】
2004320927.tif 000013